(57)【要約】      （修正有）【課題】  テレビの放送内容に合わせた付加情報を、タイミングを考慮して配信することができるコンテンツ配信管理装置を提供する。【解決手段】  放送局が放送する放送内容に関連するコンテンツを受信して出力する携帯端末と接続され、携帯端末に出力させるコンテンツを管理するコンテンツ配信管理装置であって、携帯端末に出力させるコンテンツが更新された場合に、コンテンツが更新されたことを端末装置に通知する通知手段を有する。【選択図】    図１
2005333370.tif 000002
【特許請求の範囲】
【請求項１】
放送局が放送する放送内容に関連するコンテンツを受信して出力する携帯端末と接続され、前記携帯端末に出力させるコンテンツを管理するコンテンツ配信管理装置であって、
前記携帯端末に出力させるコンテンツが更新された場合に、コンテンツが更新されたことを前記端末装置に通知する通知手段
を有することを特徴とするコンテンツ配信管理装置。
【請求項２】
放送局が放送する放送内容に関連するコンテンツを受信して出力する携帯端末と接続され、前記携帯端末に出力させるコンテンツを管理するコンテンツ配信管理装置であって、
前記携帯端末の電子メールアドレスを記憶する記憶部と、
前記携帯端末に出力させるコンテンツが更新された場合に、前記記憶部を参照して前記端末装置の電子メールアドレスを読み出し、読み出した電子メールアドレスに基づいて、前記コンテンツが更新されたことを前記端末装置に電子メールによって通知する通知手段
を有することを特徴とするコンテンツ配信管理装置。
【請求項３】
放送局が放送する放送内容に関連するコンテンツを受信して出力する携帯端末と接続され、前記携帯端末に出力させるコンテンツを管理するコンテンツ配信管理装置であって、
前記端末装置の電話番号を記憶する記憶部を有し、
前記携帯端末に出力させるコンテンツが更新された場合に、前記記憶部を参照して前記端末装置の電話番号を読み出し、読み出した電話番号に基づいて前記端末装置に発呼し、コンテンツが更新されたことを通知する通知手段
を有することを特徴とするコンテンツ配信管理装置。
【請求項４】
コンテンツが更新されているか否かを検出する検出手段と、
前記検出手段によって、コンテンツが更新されたことが検出された場合に、前記通知手段によって通知を行う通知制御手段
を有することを特徴とする請求項１から請求項３のうちいずれかに記載のコンテンツ配信管理装置。
【請求項５】
放送局が放送する放送内容に関連するコンテンツを受信して出力する携帯端末と、前記携帯端末に出力させるコンテンツを管理するコンテンツ配信管理装置とが接続されるコンテンツ配信管理システムであって、
前記コンテンツ配信管理装置は、
前記携帯端末に出力させるコンテンツが更新された場合に、コンテンツが更新されたことを前記端末装置に通知する通知部を有し、
前記携帯端末は、
前記コンテンツ配信管理からコンテンツの更新が通知された場合に、更新後のコンテンツを出力する出力制御部
を有することを特徴とするコンテンツ配信管理システム。
【請求項６】
放送局が放送する放送内容に関連するコンテンツを受信して出力する携帯端末と接続され、前記携帯端末に出力させるコンテンツを管理するコンテンツ配信管理装置に用いられるコンテンツ配信管理方法であって、
前記携帯端末に出力させるコンテンツが更新された場合に、コンテンツが更新されたことを前記端末装置に通知する
ことを特徴とするコンテンツ配信管理方法。
【請求項７】
放送局が放送する放送内容に関連するコンテンツを受信して出力する携帯端末と接続され、前記携帯端末に出力させるコンテンツを管理するコンテンツ配信管理装置に用いられるコンテンツ配信管理プログラムであって、
前記携帯端末に出力させるコンテンツが更新された場合に、コンテンツが更新されたことを前記端末装置に通知するステップ
をコンピュータに実行させるためのコンテンツ配信管理プログラム。
【発明の詳細な説明】
【技術分野】
【０００１】
本発明は、コンテンツ配信管理装置、コンテンツ配信管理システム、コンテンツ配信管理方法、コンテンツ配信管理プログラムに関する。
【背景技術】
【０００２】
従来から、放送局から送信されるテレビ放送波をテレビジョン受信装置（以下、「テレビ」と称す）によって受信し、出力画面およびスピーカにて放送内容となる映像や音声を出力している。これにより視聴者は、チャンネルを選択することによって自分が見たい番組を視聴し、放送を楽しむことができる。
ところで、近年、携帯電話などの携帯端末がテレビのリモコンとして利用されつつある。すなわち、携帯端末に、テレビのリモコン機能を実現するためのアプリケーションソフト（以下、単に「アプリケーション」と称す）を予め記憶しておく、もしくはサーバからダウンロードして記憶しておき、このアプリケーションを読み出して実行することにより、携帯端末によってテレビのリモコン機能を実現することができる。
【０００３】
上述したテレビによる放送を視聴者に対し、より楽しんでもらうために、通常の放送内容にさらに何らかの付加情報を提供する場合、リモコンとして手元にある携帯端末にコンテンツとして配信することが望ましい。
【０００４】
ここで、携帯端末をテレビの視聴に利用するシステムは、下記の先行技術文献１に記載されている。このシステムによれば、携帯端末にてテレビの放送内容そのものを閲覧することができる。
【特許文献１】特開２００１−２１８２７３号公報
【発明の開示】
【発明が解決しようとする課題】
【０００５】
しかしながら、特許文献１に示すシステムにおいては、携帯端末そのものでテレビを視聴することができるが、テレビと携帯端末とに別々の情報を提供するものではない。また、テレビの受像中に携帯端末に付加情報を配信するにあたり、効果的に配信することが望ましい。すなわち、付加情報が番組内容と連動していることが望ましい。
【０００６】
本発明は、このような事情に鑑みてなされたもので、その目的は、テレビの放送内容に合わせた付加情報（コンテンツ）をタイミングを考慮して配信することができるコンテンツ配信管理装置、コンテンツ配信管理システム、コンテンツ配信管理方法、コンテンツ配信管理プログラムを提供することにある。
【課題を解決するための手段】
【０００７】
本発明において、本発明の一実施形態は、放送局が放送する放送内容に関連するコンテンツを受信して出力する携帯端末と接続され、前記携帯端末に出力させるコンテンツを管理するコンテンツ配信管理装置であって、前記携帯端末に出力させるコンテンツが更新された場合に、コンテンツが更新されたことを前記端末装置に通知する通知手段を有することを特徴とする。
【０００８】
また、本発明において、本発明の一実施形態は、放送局が放送する放送内容に関連するコンテンツを受信して出力する携帯端末と接続され、前記携帯端末に出力させるコンテンツを管理するコンテンツ配信管理装置であって、前記携帯端末の電子メールアドレスを記憶する記憶部と、前記携帯端末に出力させるコンテンツが更新された場合に、前記記憶部を参照して前記端末装置の電子メールアドレスを読み出し、読み出した電子メールアドレスに基づいて、前記コンテンツが更新されたことを前記端末装置に電子メールによって通知する通知手段を有することを特徴とする。
【０００９】
本発明において、本発明の一実施形態は、放送局が放送する放送内容に関連するコンテンツを受信して出力する携帯端末と接続され、前記携帯端末に出力させるコンテンツを管理するコンテンツ配信管理装置であって、前記端末装置の電話番号を記憶する記憶部を有し、前記携帯端末に出力させるコンテンツが更新された場合に、前記記憶部を参照して前記端末装置の電話番号を読み出し、読み出した電話番号に基づいて前記端末装置に発呼し、コンテンツが更新されたことを通知する通知手段を有することを特徴とする。
【００１０】
上記発明の実施形態において、コンテンツが更新されているか否かを検出する検出手段と、前記検出手段によって、コンテンツが更新されたことが検出された場合に、前記通知手段によって通知を行う通知制御手段を有するようにしてもよい。
【００１１】
本発明において、本発明の一実施形態は、放送局が放送する放送内容に関連するコンテンツを受信して出力する携帯端末と、前記携帯端末に出力させるコンテンツを管理するコンテンツ配信管理装置とが接続されるコンテンツ配信管理システムであって、前記コンテンツ配信管理装置は、前記携帯端末に出力させるコンテンツが更新された場合に、コンテンツが更新されたことを前記端末装置に通知する通知部を有し、前記携帯端末は、前記コンテンツ配信管理からコンテンツの更新が通知された場合に、更新後のコンテンツを出力する出力制御部を有することを特徴とする。
【００１２】
本発明において、本発明の一実施形態は、放送局が放送する放送内容に関連するコンテンツを受信して出力する携帯端末と接続され、前記携帯端末に出力させるコンテンツを管理するコンテンツ配信管理装置に用いられるコンテンツ配信管理方法であって、前記携帯端末に出力させるコンテンツが更新された場合に、コンテンツが更新されたことを前記端末装置に通知することを特徴とする。
【００１３】
本発明において、本発明の一実施形態は、放送局が放送する放送内容に関連するコンテンツを受信して出力する携帯端末と接続され、前記携帯端末に出力させるコンテンツを管理するコンテンツ配信管理装置に用いられるコンテンツ配信管理プログラムであって、前記携帯端末に出力させるコンテンツが更新された場合に、コンテンツが更新されたことを前記端末装置に通知するステップをコンピュータに実行させることを特徴とする。
【発明の効果】
【００１４】
以上説明したように、この発明によれば、携帯端末に出力させるコンテンツが更新された場合に、コンテンツが更新されたことを端末装置に通知するようにしたので、この通知に応じて携帯端末に主瑠力されるコンテンツを更新させることができ、これにより、放送の内容の遷移に合わせたコンテンツを順次配信することができ、これにより、テレビの放送内容に合わせたコンテンツをタイミングを考慮して配信することができる。
【発明を実施するための最良の形態】
【００１５】
以下、本発明の一実施形態によるコンテンツ配信管理システムを図面を参照して説明する。図１は、この発明の一実施形態によるコンテンツ配信管理システムの構成を示す概略ブロック図である。このコンテンツ配信管理システム１の動作の概略としては、放送局から送信される番組においてシーンが替わる時点、番組からコマーシャルに替わる時点、コマーシャルから番組に替わる時点などにおいて、その放送内容に応じたコンテンツが携帯電話４０に出力されるように放送内容とコンテンツの内容を同期させるものである。
【００１６】
この図において、コンテンツ配信管理システムは、放送局１０と、テレビ１５と、コンテンツプロバイダ２０と、コンテンツ配信管理装置３０と、携帯端末の一例としての携帯電話４０とによって構成される。
放送局１０は、放送設備を有しており、番組内容やコマーシャルをテレビ放送波によって送信することにより放送を行う。
テレビ１５は、放送局１０から送信されるテレビ放送波を受信し、受信したテレビ放送波に応じた映像を出力画面に出力したり、音声をスピーカから出力したりする。
【００１７】
コンテンツプロバイダ２０は、サーバ装置が備えられており、放送局１０が放送する放送内容（番組やコマーシャル）に関連するコンテンツをデータベース内に記憶しており、コンテンツ配信管理装置３０にコンテンツを送信する。ここで、コンテンツは、放送局１０の局員が放送内容に応じたコンテンツを予めまたは放送中に作成し、コンテンツプロバイダ２０に登録するようにしてもよい。また、コンテンツプロバイダ２０を運営する運営側のオペレータが放送局１０の局員と相談してコンテンツを作成して登録する、あるいは、放送局１０の放送内容をテレビにて閲覧しながら、リアルタイムで作成して登録するようにしてもよい。
【００１８】
コンテンツ配信管理装置３０は、携帯電話４０に出力させるコンテンツが更新された場合に、コンテンツが更新されたことを携帯電話４０に通知し、携帯電話４０の出力部４２に出力させるコンテンツを更新させる機能を有する。
さらにコンテンツ配信管理装置３０について説明すると、コンテンツ配信管理装置３０において、検出部３１は、コンテンツプロバイダ２０が配信するコンテンツが更新されているか否かを検出する。この検出は、例えば、コンテンツプロバイダ２０が配信しているコンテンツのデータを一時保持しておき、一定時間経過後に再度コンテンツプロバイダ２０から配信されているコンテンツを読み出し、一時保持されたコンテンツのデータを比較することにより、更新されたか否かを検出する。または、コンテンツプロバイダ２０から配信されるコンテンツに付与されているコンテンツを識別するコンテンツＩＤについて、一定時間経過する毎に比較して、相異する場合に、コンテンツが更新されたことを検出する。
【００１９】
記憶部３２は、コンテンツ配信管理装置３０が提供するコンテンツ配信管理のサービスを受けるユーザの申し込みを受け付けし、この受け付けの際に、携帯電話４０から送信される電子メールアドレスを記憶する。ここでは、電子メールアドレスと携帯電話４０の識別番号（ユーザIDなど）と対応付けて記憶するものであり、携帯電話４０が複数存在する場合には、それぞれの電子メールアドレスと識別番号とを対応付けて記憶する。
この記憶部３２は、ハードディスク装置や光磁気ディスク装置、フラッシュメモリ等の不揮発性のメモリや、ＣD−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるもとのする。
【００２０】
通知部３３は、検出部３１によって、コンテンツが更新されたことが検出された場合に、携帯電話４０にコンテンツが更新されたことを通知する制御を行う機能を有する。ここでは、通知部３３は、携帯電話４０に出力させるべきコンテンツが更新された場合に、記憶部３２を参照して携帯電話４０の電子メールアドレスを読み出し、読み出した電子メールアドレスに基づいて、コンテンツが更新されたことを携帯電話４０に電子メールを送信することによって通知する。この電子メールには、アプリケーション実行部４１のアプリケーションを起動する指示と、出力するコンテンツを更新させるための指示データと、更新するためのアクセス先の参照情報となるＵＲＬ（Uniform Resource Locator）が含まれている。
【００２１】
コンテンツ配信部３４は、コンテンツプロバイダ２０が配信するコンテンツを受信しており、携帯電話４０からのコンテンツの送信要求に応じて、コンテンツプロバイダ２０から現在受信しているコンテンツを携帯電話４０に送信する。
【００２２】
携帯電話４０において、アプリケーション実行部４１は、コンテンツ配信管理装置３０から電子メールを受信した場合に、アプリケーション実行部４１に記憶されたアプリケーションを起動して実行する機能を有するとともに、電子メールに含まれたコンテンツの更新指示に基づいて、コンテンツ配信管理装置３０にアクセスし、コンテンツの送信要求を行う機能を有する。
また、アプリケーション実行部４１は、コンテンツ配信管理装置３０から受信したコンテンツを出力部４２に出力する機能を有する。
ここで、アプリケーション実行部４１において実行されるアプリケーションは、アプリケーションを記憶するサーバから予めダウンロードして所定のメモリ内に記憶されているものとする。
【００２３】
出力部４２は、アプリケーション実行部４１が受信したコンテンツを出力する機能を有し、例えば、液晶表示装置などの表示装置によって静止画像や動画像を出力したり、音声出力装置（スピーカ）等によってコンテンツに含まれる音声を出力する。
【００２４】
なお、検出部３１、通知部３３、コンテンツ配信部３４、アプリケーション実行部４１は、専用のハードウェアにより実現されるものであってもよく、また、メモリおよびＣＰＵ（中央演算装置）により構成され、これらの機能を実現するためのプログラムをメモリにロードして実行することによりその機能を実現させるものであってもよい。
【００２５】
次に、図１の構成におけるコンテンツ配信管理システム１の動作について図２のシーケンス図を用いて説明する。ここでは、ユーザは、携帯電話４０を手元に置いて、テレビ１５によってテレビ放送を視聴している場合について説明する。
まず、コンテンツプロバイダ２０は、コンテンツ配信管理装置３０にコンテンツを配信する（ステップＳ１１）。コンテンツ配信管理装置３０は、コンテンツプロバイダ２０から配信されるコンテンツを受信し（ステップＳ２１）、検出部３１によって、前回受信したコンテンツと比較して更新されたか否かを検出する（ステップＳ２２）。更新されていない場合、コンテンツ配信管理装置３０は、一定時間毎にコンテンツプロバイダ２０からコンテンツを受信する（ステップＳ２１）。
【００２６】
一方、検出部３１によってコンテンツが更新されていることが検出されると、コンテンツ配信管理装置３０は、更新された後のコンテンツを所定の記憶領域に記憶しておき（ステップＳ２３）、記憶部３２から携帯電話４０の電子メールアドレスを読み出し、読み出した電子メールアドレスにあてて、アプリケーションの起動指示、コンテンツを更新させる指示、コンテンツを取得するアクセス先のＵＲＬ（ここでは、例えば、コンテンツ配信管理装置３０）とを含む電子メールを通信部３３によって送信する（ステップＳ２４）。
【００２７】
携帯電話４０は、コンテンツ配信管理装置３０から送信された電子メールを受信すると（ステップＳ３１）、受信した電子メールに含まれるアプリケーションの実行指示に基づいて、アプリケーション実行部４１を起動させる（ステップＳ３２）。アプリケーション実行部４１は、受信した電子メールに含まれるコンテンツ更新の指示に基づいて、ＵＲＬによって指定されたアクセス先となるコンテンツ配信管理装置３０にアクセスし、コンテンツの送信要求をする（ステップＳ３３）。
【００２８】
コンテンツ配信管理装置３０は、携帯電話４０からのコンテンツの送信要求を受信すると（ステップＳ２５）、ステップＳ２３において記憶したコンテンツをコンテンツ配信部３４によって携帯電話４０に送信する（ステップＳ２６）。
【００２９】
携帯電話４０のアプリケーション実行部４１は、コンテンツ配信管理装置３０からコンテンツを受信すると、受信したコンテンツを出力部４２に出力する。
【００３０】
以上説明した実施形態によれば、コンテンツプロバイダ２０において、番組の進行状況やコマーシャルの内容に応じて、オペレータがコンテンツを更新したり、予め記憶されたコンテンツの中から選択して切り替える、あるいは、コンテンツプロバイダ２０内にコンテンツの切り替え時刻と対応付けたコンテンツを予め記憶しておき、切り替え時刻に応じてコンテンツを切り替えることにより、このコンテンツの遷移に応じて携帯電話４０に出力されるコンテンツも切り替わる。これにより、放送局１０やコンテンツプロバイダ２０等のコンテンツ提供者にとっては、放送内容に応じたコンテンツとなるように、テレビの放送内容と携帯電話４０に出力されるコンテンツとを同期させて提供することができる。一方、ユーザは、自らコンテンツ更新の操作などを行うことなく、テレビ１５によってテレビ放送を視聴しながら、視聴内容に応じたコンテンツを閲覧することができる。これにより、通常のテレビ放送にさらに付加的にコンテンツを提供することができるので、テレビ放送の娯楽性を向上させることができる。
【００３１】
次に、他の実施形態について説明する。この実施形態においては、コンテンツが更新されたことを電子メールではなく、電話にて携帯電話４０に通知するものである。この実施形態において、コンテンツ配信管理システム１は、図１の構成と同様であるが、その機能が異なる。以下、その相異点について説明する。
【００３２】
コンテンツ配信管理装置３０において、記憶部３２は、携帯電話４０の識別情報と携帯電話４０の電話番号とを対応付けて記憶する。
通知部３３は、携帯電話４０に出力させるコンテンツが更新された場合に、記憶部３２を参照して携帯電話４０の電話番号を読み出し、読み出した電話番号に基づいて携帯電話４０に発呼し、呼が成立したら、コンテンツが更新されたことを通知する。ここで通知する情報としては、上述した電子メールの情報と同様であり、アプリケーション実行部４１のアプリケーションを起動する指示と、出力するコンテンツを更新させるための指示データと、更新するためのアクセス先の参照情報となるＵＲＬとを音声データとして送信する。
【００３３】
携帯電話４０において、アプリケーション実行部４１は、コンテンツ配信管理装置３０の通信部３３から発呼された場合に着信し、着信した後に送信される音声データをデジタルデータに変換し、変換した後のデジタルデータに含まれるデータに応じた処理を実行する。ここでは、変換した後のデータとして、アプリケーション実行部４１のアプリケーションを起動する指示と、出力するコンテンツを更新させるための指示データと、更新するためのアクセス先の参照情報となるＵＲＬとが含まれているので、アプリケーション実行部４１を起動し、アプリケーション実行部４１によって、コンテンツを更新指示に基づいて、アクセス先のＵＲＬに従ってアクセスし、コンテンツの送信要求を行う。
【００３４】
これにより、コンテンツ配信管理装置３０に記憶された更新後のコンテンツが携帯電話４０に送信され、アプリケーション実行部４１によって、コンテンツが出力部４２に出力される。
【００３５】
ここでは、一度接続された電話回線は、携帯電話４０においてコンテンツ更新が完了した後に、一旦切断し、新たにコンテンツが更新された場合に、再度コンテンツ配信管理装置３０から発呼して更新するようにしてもよい。
また、一度接続された電話回線を継続して接続しておき、コンテンツの更新がある毎に、接続中の電話回線を利用して、コンテンツの更新を通知するようにしてもよい。これにより、コンテンツの更新の通知にかかる時間を電子メールの配信に比べて短縮することができ、放送内容とタイムラグを削減したコンテンツを提供することができる。例えば、テレビ放送で行われている内容に関係する別の効果音や動画像などを配信することにより、テレビ放送の視聴のみでは得られない視覚効果や聴覚効果をユーザに提供することができる。
【００３６】
また、上述したコンテンツ配信管理システム１を利用することにより、例えば、クイズ番組を視聴している際、クイズの問題と解答となる選択肢をコンテンツとして、テレビで出題するとともに携帯電話４０に出力させることも可能となる。ここでは、ユーザは、携帯電話４０に出力されたコンテンツを参照し、例えば、携帯電話４０に設けられた操作ボタンを操作して、選択肢のなかから解答を選択してクリックすることにより、解答をサーバに送信することが可能となり、サーバ側で解答を集計し、放送中の番組に反映させたりすることが可能となる。
また、放送されているコマーシャルに関連する情報をコンテンツとしてコマーシャルが放送されるタイミングに合わせて送信し、宣伝効果を向上させることも可能である。
また、放送内容が番組からコマーシャルに切り替わった場合に、そのコマーシャルを視聴しているユーザに対して質問と回答となる選択肢をコンテンツとして送信し、そのコンテンツの中から選択肢が選択され、集計用のサーバに送信された場合に、そのユーザに対して景品を送るサービスを提供することも可能となる。
【００３７】
また、上述した実施形態において、アプリケーション実行部４１にテレビ１５が受信するチャンネルを切り替えるリモコン機能を設け、コンテンツの切り替わりの際、コンテンツ配信管理装置３０の通知部３３からチャンネルを指定する指示をさらに含めて送信するようにしておく。そして、アプリケーション実行部４１が、通知部３３からのチャンネル切り替え指示に応じて、指示されたチャンネルに切り替える指示をテレビ１５に送信するようにしてもよい。これにより、提供されるコンテンツが現在テレビ１５によって受信しているチャンネルとは異なるチャンネルに対する場合においても、同期させることが可能となる。
【００３８】
また、図１における検出部３１、通知部３３、コンテンツ配信部３４、アプリケーション実行部４１の機能を実現するためのプログラムをコンピュータ読み取り可能な記録媒体に記録して、この記録媒体に記録されたプログラムをコンピュータシステムに読み込ませ、実行することによりコンテンツの配信管理や受信管理を行ってもよい。なお、ここでいう「コンピュータシステム」とは、ＯＳや周辺機器等のハードウェアを含むものとする。
【００３９】
また、「コンピュータシステム」は、ＷＷＷシステムを利用している場合であれば、ホームページ提供環境（あるいは表示環境）も含むものであってもよい。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４０】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００４１】
【図１】この発明の一実施形態によるコンテンツ配信管理システムの構成を示す概略ブロック図である。
【図２】図１の構成におけるコンテンツ配信管理システムの動作について説明するためのシーケンス図である。
【符号の説明】
【００４２】
１０  放送局                              １５  テレビ
２０  コンテンツプロバイダ                ３０  コンテンツ配信管理装置
３１  検出部                              ３２  記憶部
３３  通知部                              ３４  コンテンツ配信部
４０  携帯電話                            ４１  アプリケーション実行部
４２  出力部
【図１】
2005333370.tif 000003
【図２】
2005333370.tif 000004